(57)【特許請求の範囲】
【請求項１】
外枠と、外枠の前側を開閉可能に外枠の幅方向一端部に鉛直軸心回りに回動自在にヒンジ結合され且つ内部に前側に向く遊技領域を形成する遊技盤が装着された開閉枠と、開閉枠の前側を開閉可能に開閉枠又は外枠の幅方向一端部に鉛直軸心回りに回動自在にヒンジ結合されたガラス扉とを備えた弾球遊技機において、
前記外枠の幅方向他端部にロック位置とロック解除位置とに亙って可動に装着され、外枠に対して閉状態の開閉枠をロック・ロック解除する第１ロック機構と、
前記開閉枠の幅方向他端部にロック位置とロック解除位置とに亙って可動に装着され、開閉枠に対して閉状態のガラス扉をロック・ロック解除する第２ロック機構と、
前記第１，第２ロック機構に連動連結可能に外枠に装着され、第１ロック機構をロック位置からロック解除位置へ切換える第１作動位置と、第２ロック機構をロック位置からロック解除位置へ切換える第２作動位置とに択一的に作動可能なロック解除機構と、
前記外枠に前側からキーを挿入可能に装着され、そのキー操作によりロック解除機構を第１，第２作動位置の何れかの位置に択一的に作動させるキーシリンダとを備え、
前記第１ロック機構は、外枠に回動自在に支持され且つ開閉枠の幅方向他端部に設けられた上下２組の第１被係合部に係合解除可能に係合する上下２組の第１ロック部材を有し、
前記第２ロック機構は、開閉枠に上下方向へ移動自在に支持され且つガラス扉の幅方向他端部に設けられた上下２組の第２被係合部に係合解除可能に係合する上下２組の第２ロック部材を有し、
前記ロック解除機構は、外枠に上下方向へ移動自在に支持された上下方向に細長い帯板状のロック解除部材を有し、このロック解除部材が、第１作動位置へ作動する際に前記２組の第１ロック部材に係合して第１ロック部材をロック位置からロック解除位置に押動する上下２組の第１押動部と、第２作動位置へ作動する際に前記２組の第２ロック部材に係合して第２ロック部材をロック位置からロック解除位置に押動する上下２組の第２押動部とを有する、
ことを特徴とする弾球遊技機。
【請求項２】
前記２組の第１ロック部材及び第２ロック部材を夫々ロック位置に付勢する復帰バネ手段を備えたことを特徴とする請求項１に記載の弾球遊技機。
【請求項３】
前記ロック解除機構は、外枠に回動自在に支持され且つ前記２組の第２ロック部材に係合可能な上下２組の連動部材を有し、第２作動位置へ作動する際、前記２組の第２押動部が、前記２組の連動部材に係合して連動部材を押動することで、これら連動部材を介して前記２組の第２ロック部材に係合して第２ロック部材をロック位置からロック解除位置に押動することを特徴とする請求項１に記載の弾球遊技機。
【発明の詳細な説明】
【技術分野】
【０００１】
本発明は弾球遊技機に関し、特に、外枠に対して閉状態の開閉枠をロック・ロック解除するとともに開閉枠に対して閉状態のガラス扉をロック・ロック解除する構成（錠装置）を改良した弾球遊技機に関するものである。
【背景技術】
【０００２】
一般に、パチンコ機等の弾球遊技機は、主要機枠として、外枠、開閉枠、ガラス扉等を備え、外枠が遊技場の島構造体等と称せられる所に取付けられ、開閉枠が外枠の前側を開閉可能に外枠の幅方向一端部に鉛直軸心回りに回動自在にヒンジ結合され、開閉枠の内部に前側に向く遊技領域を形成する遊技盤が装着され、ガラス扉が開閉枠の前側を開閉可能に開閉枠又は外枠の幅方向一端部に鉛直軸心回りに回動自在にヒンジ結合されている。
【０００３】
弾球遊技機は、遊技者が遊技盤の遊技領域にパチンコ球等の遊技球を発射して遊技するものであるが、通常、この遊技領域は、遊技盤の前面部にガイドレール等で囲まれて外周部の少なくとも一部分が円弧又はそれに近い形状に形成され、その遊技領域に、多数の障害釘、複数の入賞口部材、電動役物、表示装置等が配置されている。そして、近年、特に電動役物や表示装置の大型化に伴い、遊技領域を拡大することが望まれている。
【０００４】
弾球遊技機は、外枠に対して開閉枠を閉じて、また、開閉枠に対してガラス扉を閉じて、遊技に供する正規の状態となるが、遊技者が開閉枠やガラス扉を不要に開けないように、更に、不正を行わないように、また、球詰まり等のエラーがあった場合には、遊技場係員が開閉枠やガラス扉を開けて対応できるように、外枠に対して閉状態の開閉枠をロック・ロック解除するとともに開閉枠に対して閉状態のガラス扉をロック・ロック解除する錠装置を備えている（例えば、特許文献１，２参照）。
【０００５】
弾球遊技機において、近年広く採用されている特許文献１，２のような錠装置は、外枠に対して閉状態の開閉枠をロック・ロック解除する第１ロック機構、開閉枠に対して閉状態のガラス扉をロック・ロック解除する第２ロック機構を備え、第１，第２ロック機構は、夫々、開状態から閉状態に切換えられた開閉枠，ガラス扉を自動的にロックするように構成され、更に、第１，第２ロック機構を択一的にロック解除位置に切換えるように作動可能なロック解除機構、前側から挿入されたキーの操作でロック解除機構を作動させるキーシリンダを備え、これら第１，第２ロック機構、ロック解除機構、キーシリンダは、全て開閉枠の幅方向他端部に装着されている。
【０００６】
第１ロック機構は、外枠に対して閉状態の開閉枠を確実にロックしてガタツキなく保持するために、外枠に設けられた上下２組の第１被係合部に係合解除可能に係合する上下２組の第１係合部を有し、同様に、第２ロック機構は、開閉枠に対して閉状態のガラス扉を確実にロックしてガタツキなく保持するために、ガラス扉の幅方向他端部に設けられた上下２組の第２被係合部に係合解除可能に係合する上下２組の第２係合部を有する。
【０００７】
ロック解除機構は、上下２組の第１係合部を有する第１ロック機構をロック解除位置に切換え可能に上下に細長い帯板状の第１ロック解除部材、上下２組の第２係合部を有する第２ロック機構をロック解除位置に切換え可能に上下に細長い帯板状の第２ロック解除部材、第１，第２ロック解除部材を夫々上下方向へ可動にガイド支持する上下に細長いガイド部材を有し、キーシリンダのキー操作によって第１，第２ロック解除部材を択一的に作動させるように、キーシリンダとロック解除機構とを連動連結する構造になっている。
【０００８】
【特許文献１】特開２００７−７３０９号公報
【特許文献２】特開２００７−１１７４３９号公報
【発明の開示】
【発明が解決しようとする課題】
【０００９】
パチンコ機等の弾球遊技機では、近年、特に遊技領域に配置される電動役物や表示装置の大型化に伴い、遊技領域を拡大することが望まれているが、従来の弾球遊技機の錠装置では、第１，第２ロック機構、ロック解除機構、キーシリンダが、全て開閉枠の幅方向他端部に装着されているため、しかも、ロック解除機構は、上下に細長い第１，第２ロック解除部材及びガイド部材を有するため、第１，第２ロック機構、ロック解除機構、キーシリンダがコンパクトになるようにユニット化されても、これらを開閉枠の幅方向他端部に配置するスペースが大きくなり、特に、ロック解除機構（第１，第２ロック解除部材、ガイド部材）は、開閉枠の幅方向他端部に開閉枠の上下方向中央部分に跨がって配置されるものになるため、遊技領域を拡大するのに邪魔になる。
【００１０】
即ち、一般的な弾球遊技機では、遊技領域の幅方向他端部分が開閉枠の他端側へ凸の円弧又はそれに近い形状に形成されたものが多く、その遊技領域の幅方向他端部分は、遊技領域の上下方向中央部分に位置して、遊技領域の他の部分よりも開閉枠の他端側へ張出しており、故に、遊技領域を拡大するためには、その遊技領域の幅方向他端部分を開閉枠の他端側へ拡張することが有効であるが、この遊技領域の幅方向他端部分の拡張は、開閉枠の幅方向他端部に開閉枠の上下方向中央部分に跨がって配置されたロック解除機構の制約を受けるため、遊技領域を拡大するのに限界が生じる。
【００１１】
しかも、ロック解除機構は、上下に細長い第１，第２ロック解除部材及びガイド部材を有することから大型になり、つまり、錠装置が全体的に大型化して、製造コスト的に不利になり、更に、大型のロック解除機構を装着した開閉枠が重くなり、開閉枠を大きく開けた状態では、その開閉枠に生じるモーメントを外枠で支持する必要があるので、開閉枠を外枠に支持する支持強度を高めなければならない。
【００１２】
また、一般的な弾球遊技機では、外枠に対して閉状態の開閉枠の他端部の内壁部が内側に位置し、その内壁部の外面部に錠装置が取付けられているため、不正に、針金等を開閉枠と外枠との間の隙間から内部に挿入し、第１ロック機構やロック解除機構を操作して、外枠に対して開閉枠が開けられる虞があり、そうなると、開閉枠には制御装置を含む遊技装置が装着されているため、その遊技装置に対して不正を施される虞がある。
【００１３】
また、ロック解除機構とキーシリンダとの連動連結構造が、キーシリンダのキー操作によって第１，第２解除部材を択一的に作動させる複雑なものになり、故に、錠装置が大型になり製造コストが高価になる起因にもなる。このように、従来の弾球遊技機の錠装置では、第１，第２ロック機構、ロック解除機構、キーシリンダが、全て開閉枠の幅方向他端部に装着されていることから、以上の種々の課題があるが、本発明は、こうした課題を改善できる弾球遊技機を提供することを目的としている。
【００１４】
即ち、本発明の目的は、第１ロック機構、第２ロック機構、ロック解除機構、キーシリンダを備えた弾球遊技機において、遊技領域を拡大すること、不正に外枠に対して開閉枠が開けられないようにすること、ロック解除機構とキーシリンダとの連動連結構造を簡単化すること、等々である。
【課題を解決するための手段】
【００１５】
本発明の弾球遊技機は、外枠と、外枠の前側を開閉可能に外枠の幅方向一端部に鉛直軸心回りに回動自在にヒンジ結合され且つ内部に前側に向く遊技領域を形成する遊技盤が装着された開閉枠と、開閉枠の前側を開閉可能に開閉枠又は外枠の幅方向一端部に鉛直軸心回りに回動自在にヒンジ結合されたガラス扉とを備えたものである。
【００１６】
請求項１の弾球遊技機は、前記外枠の幅方向他端部にロック位置とロック解除位置とに亙って可動に装着され、外枠に対して閉状態の開閉枠をロック・ロック解除する第１ロック機構と、前記開閉枠の幅方向他端部にロック位置とロック解除位置とに亙って可動に装着され、開閉枠に対して閉状態のガラス扉をロック・ロック解除する第２ロック機構と、前記第１，第２ロック機構に連動連結可能に外枠に装着され、第１ロック機構をロック位置からロック解除位置へ切換える第１作動位置と、第２ロック機構をロック位置からロック解除位置へ切換える第２作動位置とに択一的に作動可能なロック解除機構と、前記外枠に前側からキーを挿入可能に装着され、そのキー操作によりロック解除機構を第１，第２作動位置の何れかの位置に択一的に作動させるキーシリンダとを備え、前記第１ロック機構は、外枠に回動自在に支持され且つ開閉枠の幅方向他端部に設けられた上下２組の第１被係合部に係合解除可能に係合する上下２組の第１ロック部材を有し、前記第２ロック機構は、開閉枠に上下方向へ移動自在に支持され且つガラス扉の幅方向他端部に設けられた上下２組の第２被係合部に係合解除可能に係合する上下２組の第２ロック部材を有し、前記ロック解除機構は、外枠に上下方向へ移動自在に支持された上下方向に細長い帯板状のロック解除部材を有し、このロック解除部材が、第１作動位置へ作動する際に前記２組の第１ロック部材に係合して第１ロック部材をロック位置からロック解除位置に押動する上下２組の第１押動部と、第２作動位置へ作動する際に前記２組の第２ロック部材に係合して第２ロック部材をロック位置からロック解除位置に押動する上下２組の第２押動部とを有する。
【００１７】
請求項１の弾球遊技機において、より好ましい構成は次の通りである。
第１ロック機構は、外枠に対して開状態から閉状態に切換えられた開閉枠を自動的にロックする。第２ロック機構は、開閉枠に対して開状態から閉状態に切換えられたガラス扉を自動的にロックする。第１ロック機構は、外枠に対して閉状態の開閉枠を少なくとも上下２箇所でロック・ロック解除する。第２ロック機構は、開閉枠の上下方向中央部分を空けて上下に分割して設けられて、開閉枠に対して閉状態のガラス扉を少なくとも上下２箇所でロック・ロック解除する。
【００１８】
外枠に対して開閉枠が開状態のときに、キーシリンダのキー操作によらず、手動操作で第２ロック機構をロック位置からロック解除位置へ切換え可能に、即ち、開閉枠に対してガラス扉を開放可能にする。外枠に装着されたキーシリンダのキー挿入孔が、開閉枠及びガラス扉を閉じた状態で弾球遊技機の前方外へ臨むように位置し、そのために、外枠に対する開閉枠の開閉、及び、開閉枠に対するガラス扉の開閉の妨げにならないように、開閉枠とガラス扉にキーシリンダが貫通するキーシリンダ貫通孔が形成される。
【００１９】
請求項２，３の弾球遊技機は次の通りである。
前記２組の第１ロック部材及び第２ロック部材を夫々ロック位置に付勢する復帰バネ手段を備える（請求項２）。
【００２０】
前記ロック解除機構は、外枠に回動自在に支持され且つ前記２組の第２ロック部材に係合可能な上下２組の連動部材を有し、第２作動位置へ作動する際、前記２組の第２押動部が、前記２組の連動部材に係合して連動部材を押動することで、これら連動部材を介して前記２組の第２ロック部材に係合して第２ロック部材をロック位置からロック解除位置に押動する（請求項３）。
【発明の効果】
【００２１】
請求項１の弾球遊技機によれば、外枠の幅方向他端部にロック位置とロック解除位置とに亙って可動に装着され、外枠に対して閉状態の開閉枠をロック・ロック解除する第１ロック機構、開閉枠の幅方向他端部にロック位置とロック解除位置とに亙って可動に装着され、開閉枠に対して閉状態のガラス扉をロック・ロック解除する第２ロック機構、第１，第２ロック機構に連動連結可能に外枠に装着され、第１ロック機構をロック位置からロック解除位置へ切換える第１作動位置と、第２ロック機構をロック位置からロック解除位置へ切換える第２作動位置とに択一的に作動可能なロック解除機構、外枠に前側からキーを挿入可能に装着され、そのキー操作によりロック解除機構を第１，第２作動位置の何れかの位置に択一的に作動させるキーシリンダを備えた。
【００２２】
つまり、第１ロック機構とロック解除機構とキーシリンダ（特に、ロック解除機構）を、従来のように開閉枠にではなくて外枠に装着し、開閉枠には第２ロック機構を装着して、キーシリンダのキー操作でロック解除機構を作動させ、そのロック解除機構により第１，第２ロック機構を択一的にロック位置からロック解除位置へ切換えでき、つまり、開閉枠に装着するもの（第２ロック機構）を従来に比べて小型にでき、しかも、開閉枠に装着する第２ロック機構を、開閉枠の上下方向中央部分を空けて上下に分割して設けて、ロック解除機構で作動可能に構成できる。
【００２３】
従って、遊技領域の幅方向他端部分が開閉枠の他端側へ凸の円弧又はそれに近い形状に形成された場合、その遊技領域の幅方向他端部分は、遊技領域の上下方向中央部分に位置して、遊技領域の他の部分よりも開閉枠の他端側へ張出すが、第１，第２ロック機構等の制約を受けずに、その遊技領域の幅方向他端部分を開閉枠の他端側へ拡張できるため、遊技領域を拡大でき、また、外枠に第１ロック機構とロック解除機構とを装着したことで、不正に、針金等を開閉枠と外枠との間の隙間から内部に挿入できたとしても、第１ロック機構やロック解除機構を操作しにくくなるので、外枠に対して開閉枠が開けられることを防止でき、故に、開閉枠に装着された制御装置等の遊技装置に対して不正を施されることも防止できる。
【００２４】
第１ロック機構は、開閉枠の幅方向他端部に設けられた上下２組の第１被係合部に係合解除可能に係合する上下２組の第１ロック部材を有するので、外枠に対して閉状態の開閉枠を確実にロックしてガタツキなく保持でき、また、第２ロック機構は、ガラス扉の幅方向他端部に設けられた上下２組の第２被係合部に係合解除可能に係合する上下２組の第２ロック部材を有するので、開閉枠に対して閉状態のガラス扉を確実にロックしてガタツキなく保持でき、しかも、２組の第２ロック部材を、開閉枠の上下方向中央部分を空けて上下に分割して設けて、ロック解除機構で作動可能に構成できるから、遊技領域を確実に拡大できる。
２組の第１ロック部材を夫々外枠に回動自在に支持したので、これら第１ロック部材（第１ロック機構）を確実に外枠の幅方向他端部にロック位置とロック解除位置とに亙って可動に装着でき、２組の第２ロック部材を夫々開閉枠に上下方向へ移動自在に支持したので、これら第２ロック部材（第２ロック機構）を確実に開閉枠の幅方向他端部にロック位置とロック解除位置とに亙って可動に装着できる。
ロック解除機構は、外枠に上下方向へ移動自在に支持された上下方向に細長い帯板状のロック解除部材を有し、このロック解除部材が、第１作動位置へ作動する際に２組の第１ロック部材に係合して第１ロック部材をロック位置からロック解除位置に押動する上下２組の第１押動部と、第２作動位置へ作動する際に２組の第２ロック部材に係合して第２ロック部材をロック位置からロック解除位置に押動する上下２組の第２押動部とを有するので、ロック解除部材を上下方向（第１，第２作動位置）へ択一的に移動させることで、第１，第２ロック機構を択一的にロック位置からロック解除位置へ確実に切換えでき、しかも、ロック解除機構とキーシリンダとの連動連結構造が、キーシリンダのキー操作によって１つのロック解除部材を作動させる簡単なものになり、故に、これらの構成を小型化し製造コストを低減するうえで有利になる。
【００２５】
請求項２の弾球遊技機によれば、２組の第１ロック部材及び第２ロック部材を夫々ロック位置に付勢する復帰バネ手段を備えたので、第１ロック機構は、外枠に対して開状態から閉状態に切換えられた開閉枠を自動的にロックしそのロック状態を維持するように、また、第２ロック機構は、開閉枠に対して開状態から閉状態に切換えられたガラス扉を自動的にロックしそのロック状態を維持するように構成できる。
【００２８】
請求項３の弾球遊技機によれば、ロック解除機構は、外枠に回動自在に支持され且つ２組の第２ロック部材に係合可能な上下２組の連動部材を有し、第２作動位置へ作動する際、２組の第２押動部が、２組の連動部材に係合して連動部材を押動することで、これら連動部材を介して２組の第２ロック部材に係合して第２ロック部材をロック位置からロック解除位置に押動するので、外枠に対して開閉枠が閉状態のときには、ロック解除機構を第２ロック機構に確実に連動連結できて、第２ロック機構をロック位置からロック解除位置へ確実に切換えできる。
【発明を実施するための最良の形態】
【００２９】
本発明の弾球遊技機では、開閉枠が外枠の前側を開閉可能に外枠の幅方向一端部に鉛直軸心回りに回動自在にヒンジ結合され、開閉枠の内部に前側に向く遊技領域を形成する遊技盤が装着され、ガラス扉が開閉枠の前側を開閉可能に開閉枠又は外枠の幅方向一端部に鉛直軸心回りに回動自在にヒンジ結合されている。
【００３０】
第１ロック機構が、外枠の幅方向他端部にロック位置とロック解除位置とに亙って可動に装着されて、外枠に対して閉状態の開閉枠をロック・ロック解除し、第２ロック機構が、開閉枠の幅方向他端部にロック位置とロック解除位置とに亙って可動に装着されて、開閉枠に対して閉状態のガラス扉をロック・ロック解除する。
【００３１】
ロック解除機構が、第１，第２ロック機構に連動連結可能に外枠に装着されて、第１ロック機構をロック位置からロック解除位置へ切換える第１作動位置と、第２ロック機構をロック位置からロック解除位置へ切換える第２作動位置とに択一的に作動可能であり、キーシリンダが外枠に前側からキーを挿入可能に装着され、そのキー操作によりロック解除機構が第１，第２作動位置の何れかの位置に択一的に作動する。
【実施例】
【００３２】
以下、本発明の実施例について図面に基づいて説明する。尚、図に矢印で示す方向（前方、上方、左方）を基準に説明し、開閉する開閉枠とガラス扉については、閉状態における前後左右を前後左右として説明する。
【００３３】
図１〜図１５に示すように、パチンコ機等の弾球遊技機１は、主要機枠として、外枠２、開閉枠３、ガラス扉４、下部開閉扉５等を備え、外枠２が遊技場の島構造体等と称せられる所に取付けられ、開閉枠３が外枠２の前側を開閉可能に外枠２の左端部（幅方向一端部）に鉛直軸心回りに回動自在にヒンジ結合され、開閉枠３の内部に前側に向く遊技領域６を形成する遊技盤７が装着され、ガラス扉４と下部開閉扉５が夫々開閉枠３の前側を開閉可能に開閉枠３（又は外枠２）の左端部（幅方向一端部）に鉛直軸心回りに回動自在にヒンジ結合されている。
【００３４】
図１〜図７、図１１〜図１５に示すように、外枠２は、左右の縦フレーム２ａ，２ｂと上下の横フレーム２ｃ，２ｄとを有し、外枠２の左端部に取付けられた上下１対のヒンジベース部材１０ａ，１１ａに、開閉枠３の左端部に取付けられた上下１対のヒンジ部材１０ｂ，１１ｂが上下に向く支軸１０ｃ，１１ｃを介して枢支されている。外枠２の下端部分の前面部には、左右方向に長い下端前面板２ｅが取付けられている。
【００３５】
図１〜図５、図８〜図１３に示すように、開閉枠３は、左右の縦フレーム３ａ，３ｂと上下の横フレーム３ｃ，３ｄとを有し、開閉枠３の左端部に取付けられた上下１対のヒンジベース部材１２ａ，１３ａに、ガラス扉４の左端部に取付けられた上下１対のヒンジ部材１２ｂ，１３ｂが上下に向く支軸を介して枢支されている。開閉枠３の上端部分に、フレーム３ａ〜３ｃに繋がった左右１対のスピーカ取付部３ｅ，３ｆが設けられ、これらスピーカ取付部３ｅ，３ｆに左右１対のスピーカ１４が前向きに装着されている。
【００３６】
フレーム３ａ〜３ｃの内壁部３ｇ〜３ｉは、フレーム３ａ〜３ｃの外壁部よりも後方へ突出しており、外枠２に対して開閉枠３を閉じた状態で、これら内壁部３ｇ〜３ｉが外壁２のフレーム２ａ〜２ｃの内側に位置する。遊技盤７は、開閉枠３のフレーム３ａ〜３ｄ及びスピーカ取付部３ｅ，３ｆの内側から前面に臨むように開閉枠３に装着され、遊技領域６は開閉枠３の内壁部３ｇ〜３ｉの内側に位置する。遊技盤７の裏面部には、弾球遊技機１の制御を統括的に行う主制御装置や、演出装置の制御を行う演出制御装置を含む遊技装置１５が取付けられている。
【００３７】
遊技領域６は、遊技盤７の前面部にガイドレール１６で囲まれて円形又は長円形又はそれらに近い形状に形成され、その遊技領域６に、多数の障害釘、複数の入賞口部材、電動役物、表示装置等（図示略）が配置されている。遊技領域６の下側（下部開閉扉５の後側）に発射機構１７が設けられ、その発射機構１７で発射された遊技球がガイドレール１６でガイドされて遊技領域６に投入される。
【００３８】
図１〜図５、図１２、図１３に示すように、ガラス扉４は、開閉枠３の下部を除く大部分の前側を開閉可能に構成され、下部開閉扉５は、開閉枠３の下部の前側を開閉可能に構成されている。ガラス扉４は、窓枠４ａと、窓枠４ａに装着されて遊技領域６の前側をカバーする透明な窓ガラス４ｂとを有する。下部開閉扉５には、遊技球を貯留して発射機構１７に１個ずつ供給する球貯留皿１８と、発射機構１７を作動させる為に遊技者が回動操作する発射ハンドル１９とが設けられている。
【００３９】
さて、この弾球遊技機１には、外枠２に対して閉状態の開閉枠３をロック・ロック解除するとともに開閉枠３に対して閉状態のガラス扉４をロック・ロック解除する、本案特有の錠装置Ｋが設けられている。
【００４０】
錠装置Ｋについて詳細に説明する。
図４〜図１７に示すように、錠装置Ｋは、外枠２に対して閉状態の開閉枠３をロックする為の上下２組の第１ロック部材２１を有する第１ロック機構２０及び上下２組の第１被係合部３０、開閉枠３に対して閉状態のガラス扉４をロックする為の上下２組の第２ロック部材４１を有する第２ロック機構４０及び上下２組の第２被係合部５０、外枠２に対してロック状態（閉状態）の開閉枠３と開閉枠３に対してロック状態（閉状態）のガラス扉４をロック解除する為のロック解除機構６０及びキーシリンダ８０等で構成されている。
【００４１】
第１ロック機構２０は、外枠２の右端部（幅方向他端部）の縦フレーム２ｂにロック位置とロック解除位置とに亙って可動に装着され、外枠２に対して閉状態の開閉枠３をロック・ロック解除するものであり、２組の第１ロック部材２１は、開閉枠３の右端部（幅方向他端部）に設けられた上下２組の第１被係合部３０に係合解除可能に係合し、第１ロック部材２１が第１被係合部３０に係合してロック状態になる。
【００４２】
２組の第１ロック部材２１及び第１被係合部３０は、外枠２及び開閉枠３の上下方向中央部分を空けて上下に分割して設けられている。２組の第１ロック部材２１は、夫々、その長さ方向中間部分が外枠２の縦フレーム２ｂの左面部に左右に向く枢支軸２２を介して回動自在に支持され、各第１ロック部材２１の前端部分に上方凸のフック部２３が形成され、各第１ロック部材２１の後端部に被押動部２４が形成されている。
【００４３】
開閉枠３の内壁部３ｈの右面部に、２組の第１ロック部材２１と同高さ位置に上下２組の被係合金具３１が固定され、各被係合金具３１の後端部に第１被係合部３０が形成されている。第１ロック部材２１が水平のときにロック位置になり、外枠２に対して開閉枠３を閉じた状態で、フック部２３が第１被係合部３０に下側から係合し、また、フック部２３が第１被係合部３０よりも下方に位置してロック解除位置になり、外枠２に対して開閉枠３を開閉可能になる。
【００４４】
外枠２に対して、２組の第１ロック部材２１を夫々図１２、図１３に矢印Ａで示すロック位置へ付勢する上下２組の第１復帰バネ２５が設けられている。第１ロック部材２１は、ロック位置からフック部２３が上方へ移動しないように回動規制されており、外枠２に対して開閉枠３を開けた状態で、外力が作用してない場合にロック位置に保持されるが、外枠２に対して開閉枠３を閉じる際、第１被係合部３０によって第１ロック部材２１がロック位置からロック解除位置を経て第１被係合部３０に係合しロック位置になるように、フック部２３の前端部に第１被係合部３０に案内される傾斜部２６が形成されている。
【００４５】
第２ロック機構４０は、開閉枠３の右端部（幅方向他端部）の縦フレーム３ｂの内壁部３ｈにロック位置とロック解除位置とに亙って可動に装着され、開閉枠３に対して閉状態のガラス扉４をロック・ロック解除するものであり、２組の第２ロック部材４１は、ガラス扉４の右端部（幅方向他端部）に設けられた上下２組の第２被係合部５０に係合解除可能に係合し、第２ロック部材４１が第２被係合部５０に係合してロック状態になる。
【００４６】
２組の第２ロック部材４１及び第２被係合部５０は、開閉枠３及びガラス扉４の上下方向中央部分を空けて上下に分割して設けられている。２組の第２ロック部材４１は、夫々、上下方向に比較的細長く形成されて、開閉枠３の内壁部３ｈの右面部に上下方向へ移動自在に支持され、そのために、例えば、各第２ロック部材４１に複数（３つ）の上下方向に長い長孔４２が形成され、これら長孔４２が内壁部３ｈから右方へ突出した複数（３つ）のガイドピン４３に摺動自在に係合している。
【００４７】
各第２ロック部材４１の上下両端部分に前方へ突出して上方凸の上下１対のフック部４４が形成され、各第２ロック部材４１の上下方向所定部分の後端部（第１ロック部材２１よりも下側で、第１ロック部材２１のフック部２３が解除位置になったときに連動部材７０と干渉しないような位置）に被押動部４５が形成されている。２組２対のフック部４４に対応して、２組２対の第２被係合部５０が設けられている。この場合、ガラス扉４の右端部に、２組２対のフック部４４と同高さ位置に上下２組２対の被係合金具５１が後方突出状に固定され、各被係合金具５１の後端部に第２被係合部５０が形成されている。
【００４８】
第２ロック部材４１が上死位置のときにロック位置になり、開閉枠３に対してガラス扉４を閉じた状態で、フック部４４が第２被係合部５０に下側から係合し、また、フック部４４が第２被係合部５０よりも下方に位置してロック解除位置になり、開閉枠３に対してガラス扉４を開閉可能になる。開閉枠３に対して、２組の第２ロック部材４１を夫々図１２、図１３に矢印Ｂで示すロック位置へ付勢する上下２組の第２復帰バネ４６が設けられている。
【００４９】
第２ロック部材４１は、ロック位置（上死位置）から上方へ移動しないように移動規制されており、開閉枠３に対してガラス扉４を開けた状態で、外力が作用してない場合にロック位置に保持されるが、開閉枠３に対してガラス扉４を閉じる際、第２被係合部５０によって第２ロック部材４１がロック位置からロック解除位置を経て第２被係合部５０に係合しロック位置になるように、フック部４４の前端部に第２被係合部５０に案内される傾斜部４７が形成されている。
【００５０】
ロック解除機構６０は、第１，第２ロック機構２０，４０に連動連結可能に外枠２に装着され、第１ロック機構２０をロック位置から図１４に仮想線で示すロック解除位置へ切換える第１作動位置と、第２ロック機構４０をロック位置から図１５に仮想線で示すロック解除位置へ切換える第２作動位置とに択一的に作動可能な機構であり、外枠２に上下方向へ移動自在に支持された上下方向に細長い帯板状のロック解除部材６１と、外枠２に回動自在に支持され且つ２組の第２ロック部材４１に係合可能な上下２組の連動部材７０とを有する。
【００５１】
ロック解除部材６１は、外枠２の左端部の縦フレーム２ｂの左面部において、２組の第１ロック部材２１と上下方向でオーバーラップするように、第１ロック部材２１よりも左側に配置されている。例えば、ロック解除部材６１に複数（上下２つ）の上下方向に長い長孔６２が形成され、これら長孔６２が縦フレーム２ｂから右方へ突出した複数（２つ）のガイドピン６３に摺動自在に係合している。
【００５２】
ロック解除部材６１は、図１４の実線で示す中立位置から矢印ａ方向の第１作動位置へ作動する際に、２組の第１ロック部材２１の被押動部２４に係合して第１ロック部材２１を図１４の矢印ｂ方向へ回動させるようにロック位置からロック解除位置に押動する上下２組の第１押動部６４と、図１５の実線で示す中立位置から矢印ｃ方向の第２作動位置へ作動する際に、２組の第２ロック部材４１の被押動部４５に２組の連動部材７０を介して係合して第２ロック部材４１を図１５の矢印ｅ方向へ移動させるようにロック位置からロック解除位置に押動する上下２組の第２押動部６５とを有する。
【００５３】
２組の連動部材７０は、夫々、その後端部分が外枠２の縦フレーム２ｂの左面部に左右に向く枢支軸７１を介して回動自在に支持され、ロック解除部材６１と上下方向でオーバーラップするように、ロック解除部材６１よりも右側に配置されている。各連動部材７０の長さ方向途中部に被押動部７２が形成され、各連動部材７０の前端部に押動部７３が形成されている。
【００５４】
即ち、ロック解除部材６１が、図１５の矢印ｃ方向の第２作動位置へ作動する際に、ロック解除部材６１の第２押動部６５が、連動部材７０の被押動部７２に係合して連動部材７０を図１５の矢印ｄ方向へ回動させるように押動することで、その連動部材７０の押動部７３が、第２ロック部材４１の被押動部４５に係合して第２ロック部材４１を図１５の矢印ｅ方向へ移動させるようにロック位置からロック解除位置に押動する。
【００５５】
キーシリンダ８０は、外枠２に前側からキーを挿入可能に装着され、そのキー操作によりロック解除機構６０を第１，第２作動位置の何れかの位置に択一的に作動させるものである。このキーシリンダ８０は、外枠２の右端部の縦フレーム２ｂの下部左面部に、第１，第２ロック部材２１，４１等と干渉しないように、前方突出状に装着されている。
【００５６】
キーシリンダ８０のキー挿入孔は、開閉枠３及びガラス扉４を閉じた状態で弾球遊技機１の前方外へ臨むように位置し、そのために、外枠２に対する開閉枠３の開閉、及び、開閉枠３に対するガラス扉４の開閉の妨げにならないように、開閉枠３の縦フレーム３ｂにキーブロック部８１が設けられ、このキーブロック部８１にキーシリンダ８０が貫通するキーシリンダ貫通孔８２が形成されるとともに、ガラス扉４にキーブロック部８１と共にキーシリンダ８０が貫通するキーシリンダ貫通孔８３が形成されている。
【００５７】
図１６、図１７に示すように、ロック解除機構６０とキーシリンダ８０とを連動連結する連動連結構造８５については、キーシリンダ８０の本体部から後方へ突出する回動軸部８６の後端部に連動アーム８７の後端部が固定され、連動アーム８７の先細り状の後端部がロック解除部材６１に形成された孔部８８に係合され、キー操作により回動軸部８６と一体に連動アーム８７を回動させることで、ロック解除部材６１を上下何れか一方へ択一的に移動させることで、ロック解除機構６０を第１，第２作動位置の何れかの位置に択一的に作動させるように構成されている。
【００５８】
尚、キーシリンダ８０をキー操作しない場合、ロック解除部材６１は前記中立位置に保持され、このロック解除部材６１の中立位置への保持（復帰）は、例えば、第１，第２復帰バネ２５，４６により、第１ロック部材２１、第２ロック部材４１を介して行われる。尚、キーシリンダ８０をロック解除部材６１の中立位置と対応する中立位置に復帰させるバネを、キーシリンダ８０に内蔵させてもよい。
【００５９】
以上説明した錠装置Ｋを備えた弾球遊技機１の作用・効果について説明する。
先ず、キーシリンダ８０が操作されていない状態で、外枠２に対して開閉枠３が閉じられた状態では、第１ロック機構２０がロック位置になり、第１ロック部材２１が第１被係合部３０に第１復帰バネ２５で付勢されて係合し、外枠２に対して開閉枠３がロックされて開放不能となり、また、開閉枠３に対してガラス扉４が閉じられた状態では、第２ロック機構４０がロック位置になり、第２ロック部材４１が第２被係合部５０に第２復帰バネ４６で付勢されて係合し、開閉枠３に対してガラス扉４がロックされて開放不能となる。
【００６０】
開閉枠３とガラス扉４の両方が閉じられた状態から、外枠２に対して開閉枠３を開ける場合には、ロック解除部材６１を上方へ移動させるようにキーシリンダ８０をキー操作し、こうして、連動連結構造８５により、ロック解除部材６１が上方へ移動されると、ロック解除機構６０が第１作動位置となり、ロック解除部材６１の第１押動部６４で第１ロック部材２１が押動され回動し第１被係合部３０から係合解除されて、第１ロック機構２０がロック解除位置になり、外枠２に対して開閉枠３を開けることができる。
【００６１】
また、開閉枠３とガラス扉４の両方が閉じられた状態から、開閉枠３に対してガラス扉４を開ける場合には、ロック解除部材６１を下方へ移動させるようにキーシリンダ８０をキー操作し、こうして、連動連結構造８５により、ロック解除部材６１が下方へ移動されると、ロック解除機構６０が第２作動位置となり、ロック解除部材６１の第２押動部６５で連動部材７０が押動され回動し、その連動部材７０で第２ロック部材４１が押動され下方移動し第２被係合部５０から係合解除されて、第２ロック機構４０がロック解除位置になり、開閉枠３に対してガラス扉４を開けることができる。
【００６２】
開閉枠３とガラス扉４の両方が閉じられた状態から、外枠２に対して開閉枠３を開けた状態で、開閉枠３に対してガラス扉４を開ける場合には、第２ロック部材４１を下方移動させるように手動操作し、この場合、上下２組の第２ロック部材４１をワイヤ等で連結しておくことで、一方（下側）の第２ロック部材４１を手動操作することで、第２ロック機構４０をロック解除位置にして、開閉枠３に対してガラス扉４を開けることができる。
【００６３】
外枠２に対して開閉枠３が開けられた状態では、第１ロック機構２０がロック位置に保持されており、この状態から外枠２に対して開閉枠３を閉じると、第１ロック部材２１の傾斜部２５が第１被係合部３０で案内され、ロック位置からロック解除位置を経て第１被係合部３０に係合してロック位置になる。
【００６４】
また、同様に、開閉枠３に対してガラス扉４が開けられた状態では、第２ロック機構４０がロック位置に保持されており、この状態から開閉枠３に対してガラス扉４を閉じると、第２ロック部材４１の傾斜部４７が第２被係合部５０で案内され、ロック位置からロック解除位置を経て第２被係合部５０に係合してロック位置になる。
【００６５】
この錠装置Ｋを備えた弾球遊技機１によれば、前記のように、外枠２の右端部にロック位置とロック解除位置とに亙って可動に装着され、外枠２に対して閉状態の開閉枠３をロック・ロック解除する第１ロック機構２０、開閉枠３の右端部にロック位置とロック解除位置とに亙って可動に装着され、開閉枠３に対して閉状態のガラス扉４をロック・ロック解除する第２ロック機構４０、第１，第２ロック機構２０，４０に連動連結可能に外枠２に装着され、第１ロック機構２０をロック位置からロック解除位置へ切換える第１作動位置と、第２ロック機構４０をロック位置からロック解除位置へ切換える第２作動位置とに択一的に作動可能なロック解除機構６０、外枠２に前側からキーを挿入可能に装着され、そのキー操作によりロック解除機構６０を第１，第２作動位置の何れかの位置に択一的に作動させるキーシリンダ８０を備えた。
【００６６】
つまり、第１ロック機構２０とロック解除機構６０とキーシリンダ８０（特に、ロック解除機構６０）を、従来のように開閉枠３にではなくて外枠２に装着し、開閉枠３には第２ロック機構４０を装着して、キーシリンダ８０のキー操作でロック解除機構６０を作動させ、そのロック解除機構６０により第１，第２ロック機構２０，４０を択一的にロック位置からロック解除位置へ切換えでき、つまり、開閉枠３に装着するもの（第２ロック機構４０）を従来に比べて小型にでき、しかも、開閉枠３に装着する第２ロック機構４０を、開閉枠３の上下方向中央部分を空けて上下に分割して設けて、ロック解除機構６０で作動可能に構成できる。
【００６７】
従って、遊技領域６の右端部分が開閉枠３の右端側へ凸の円弧又はそれに近い形状に形成された場合、その遊技領域６の右端部分は、遊技領域６の上下方向中央部分に位置して、遊技領域６の他の部分よりも開閉枠３の右端側へ張出すが、図１１に仮想線で示す従来の遊技領域６Ａに比べて、第１，第２ロック機構２０，４０等の制約を受けずに、その遊技領域６の右端部分を開閉枠３の右端側へ拡張できるため（この場合、内壁部３ｈの上下方向中央部分を右側へ凹ませることで）、遊技領域６を拡大できる。
【００６８】
また、外枠２に第１ロック機構２０とロック解除機構６０とを装着したことで、不正に、針金等を開閉枠３と外枠２との間の隙間から内部に挿入できたとしても、第１ロック機構２０やロック解除機構６０を操作しにくくなるので、外枠２に対して開閉枠３が開けられることを防止でき、故に、開閉枠３に装着された制御装置等の遊技装置１５に対して不正を施されることも防止できる。
【００６９】
第１ロック機構２０は、開閉枠３の右端部に設けられた上下２組の第１被係合部３０に係合解除可能に係合する上下２組の第１ロック部材２１を有するので、外枠２に対して閉状態の開閉枠３を確実にロックしてガタツキなく保持でき、また、第２ロック機構４０は、ガラス扉４の右端部に設けられた上下２組の第２被係合部５０に係合解除可能に係合する上下２組の第２ロック部材４１を有するので、開閉枠３に対して閉状態のガラス扉４を確実にロックしてガタツキなく保持でき、しかも、２組の第２ロック部材４１を、開閉枠３の上下方向中央部分を空けて上下に分割して設けて、ロック解除機構６０で作動可能に構成できるから、遊技領域６を確実に拡大できる。
【００７０】
２組の第１ロック部材２１及び第２ロック部材４１を夫々ロック位置に付勢する第１，第２復帰バネ２５，４６を備えたので、第１ロック機構２０は、外枠２に対して開状態から閉状態に切換えられた開閉枠３を自動的にロックしそのロック状態を維持するように、また、第２ロック機構４０は、開閉枠３に対して開状態から閉状態に切換えられたガラス扉４を自動的にロックしそのロック状態を維持するように構成できる。
【００７１】
２組の第１ロック部材２１を夫々外枠２に回動自在に支持したので、これら第１ロック部材２１（第１ロック機構２０）を確実に外枠２の右端部にロック位置とロック解除位置とに亙って可動に装着でき、２組の第２ロック部材４１を夫々開閉枠３に上下方向へ移動自在に支持したので、これら第２ロック部材４１（第２ロック機構４０）を確実に開閉枠３の右端部にロック位置とロック解除位置とに亙って可動に装着できる。
【００７２】
ロック解除機構６０は、外枠２に上下方向へ移動自在に支持された上下方向に細長い帯板状のロック解除部材６１を有し、このロック解除部材６１が、第１作動位置へ作動する際に２組の第１ロック部材２１に係合して第１ロック部材２１をロック位置からロック解除位置に押動する上下２組の第１押動部６４と、第２作動位置へ作動する際に２組の第２ロック部材４１に係合して第２ロック部材４１をロック位置からロック解除位置に押動する上下２組の第２押動部６５とを有するので、ロック解除部材６１を上下方向（第１，第２作動位置）へ択一的に移動させることで、第１，第２ロック機構２０，４０を択一的にロック位置からロック解除位置へ確実に切換えでき、しかも、ロック解除機構６０とキーシリンダ８０との連動連結構造８５が、キーシリンダ８０のキー操作によって１つのロック解除部材６１を作動させる簡単なものになり、故に、この錠装置Ｋを小型化し製造コストを低減するうえで有利になる。
【００７３】
ロック解除機構６０は、外枠２に回動自在に支持され且つ２組の第２ロック部材４１に係合可能な上下２組の連動部材７０を有し、第２作動位置へ作動する際、２組の第２押動部６５が、２組の連動部材７０に係合して連動部材７０を押動することで、これら連動部材７０を介して２組の第２ロック部材４１に係合して第２ロック部材４１をロック位置からロック解除位置に押動するので、外枠２に対して開閉枠３が閉状態のときには、ロック解除機構６０を第２ロック機構４０に確実に連動連結できて、第２ロック機構４０をロック位置からロック解除位置へ確実に切換えできる。
【００７４】
尚、本発明の趣旨を逸脱しない範囲において、前記開示事項以外の種々の変更を付加して実施可能である。例えば、外枠２に対して開閉枠３を閉じた場合に、外枠２と開閉枠３との外部に臨む隙間よりも後方に位置するように第１被係合部３０を設けてもよい。これにより、外枠２に対して開閉枠３を不正にロック解除して開けられることがより困難になる。また、ロック解除に関連するもの（第１ロック部材２１、連動部材７０等）に対して、その近傍に外部からの針金等の不正な侵入を抑制する防犯壁を設けてもよい。
【００７５】
そして、本発明については、パチンコ機に限らず種々の弾球遊技機に適用可能であり、特に、遊技領域の外周部のうち少なくとも錠装置Ｋ側の幅方向端部が円弧又はそれに近い形状に形成された弾球遊技機への適用に有効である。
【図面の簡単な説明】
【００７６】
【図１】弾球遊技機の正面図である。
【図２】弾球遊技機の平面図である。
【図３】弾球遊技機の右側面図である。
【図４】弾球遊技機の開閉枠が開状態の斜視図である。
【図５】弾球遊技機のガラス扉が開状態の斜視図である。
【図６】外枠の正面図である。
【図７】図６のVII −VII 線断面図である。
【図８】開閉枠等の正面図である。
【図９】開閉枠等の背面図である。
【図１０】開閉枠等の右側面図である。
【図１１】外枠及び開閉枠の要部の背面図である。
【図１２】図１１の錠装置の一部を含む図１１のXII −XII 線断面図である。
【図１３】図１１の錠装置の一部を含む図１１のXIII−XIII線断面図である。
【図１４】錠装置の開閉枠を開ける場合の作動説明図である。
【図１５】錠装置のガラス扉を開ける場合の作動説明図である。
【図１６】錠装置のキーシリンダとロック解除部材等の側面図である。
【図１７】図１６のXVII−XVII線断面図である。
【符号の説明】
【００７７】
１  弾球遊技機
２  外枠
３  開閉枠
４  ガラス扉
６  遊技領域
７  遊技盤
２０  第１ロック機構
２１  第１ロック部材
２５  第１復帰バネ
３０  第１被係合部
４０  第２ロック機構
４１  第２ロック部材
４６  第２復帰バネ
５０  第２被係合部
６０  ロック解除機構
６１  ロック解除部材
６４  第１押動部
６５  第２押動部
７０  連動部材
８０  キーシリンダ
【図１】
0004682211.tif 000002
【図２】
0004682211.tif 000003
【図３】
0004682211.tif 000004
【図４】
0004682211.tif 000005
【図５】
0004682211.tif 000006
【図６】
0004682211.tif 000007
【図７】
0004682211.tif 000008
【図８】
0004682211.tif 000009
【図９】
0004682211.tif 000010
【図１０】
0004682211.tif 000011
【図１１】
0004682211.tif 000012
【図１２】
0004682211.tif 000013
【図１３】
0004682211.tif 000014
【図１４】
0004682211.tif 000015
【図１５】
0004682211.tif 000016
【図１６】
0004682211.tif 000017
【図１７】
0004682211.tif 000018